(57)【要約】【課題】簡単な取付け構造であって着脱が容易であり、かつ物品を強固に保持することのできる物品保持具を提供する。【解決手段】シートベルトの差し込みバックル部に挿入して着脱可能に係合する固定部を有する物品保持具とする。物品保持具はフック状の物品保持部を有し、シート上に載置された物品の取っ手に引っ掛けることにより、物品を保持することができる。【選択図】    図１
2004338643.tif 000002
【特許請求の範囲】
【請求項１】
シート上に載置した物品を保持する物品保持具であって、物品保持具はシートベルトの差し込みバックル部に挿入して、着脱可能に係合する固定部と、シート上に載置された物品を保持する物品保持部からなることを特徴とする物品保持具。
【請求項２】
前記物品保持部はフック状を成していることを特徴とする請求項１に記載の物品保持具。
【発明の詳細な説明】
【０００１】
【発明の属する技術分野】
本発明は、シート上に載置したカバン等の物品をシート上に保持するための物品保持具に関するものである。
【０００２】
【従来の技術】
従来、車の座席上に置かれた動き易い物を保持するための保持具として、座席の背もたれ部にベルトによって支柱を捲着して取り付け、そのベルトにさらにカバンを固定するためのベルトを設けたものがある（例えば特許文献１参照）。  また、三角形状のネット外周にゴム紐を通し、三角形の頂点にそれぞれゴム紐で輪を形成して、それぞれの輪を座席下、シートベルト肩部、シートベルト差し込みバックル部へ引っ掛けて固定するものが知られている。（例えば特許文献２参照）。
【０００３】
【特許文献１】
特開平９‐１１８１６５号公報
【特許文献２】
特開２０００‐１２７８５８号公報
【０００４】
【発明が解決しようとする課題】
しかし、特許文献１に記載の物品保持具は座席の背もたれ部に支柱が捲着されているので、同乗者が搭乗する場合には、支柱が邪魔となり、取り外す必要がある。ところが、ベルトにより捲着された支柱の取外しには手間がかかり、物品保持具の着脱作業を煩雑なものとしていた。また、特許文献２に記載の物品保持具は、物品保持具に形成したゴム紐の輪をシートベルトやシート下に引っ掛けただけの取付け構造であるので、何らかの衝撃力が作用した際に外れ易く、その取り付け構造は頑丈なものとは言えなかった。また、荷物を座席又は背もたれ部にネットにより押しつけて保持する構造であるため、荷物に対する保持力が弱いものであった。
【０００５】
本発明はこのような従来技術が有する問題点に着目してなされたものである。その目的としては、簡単な構成で着脱が容易であり、かつ強固な取付け構造をなす物品保持具を提供することにある。
【０００６】
【課題を解決するための手段】
前記目的を達成するために、本願請求項１に記載の発明は、シート上に載置した物品を保持する物品保持具であって、物品保持具はシートベルトの差し込みバックル部に挿入して、着脱可能に係合する固定部と、シート上に載置された物品を保持する物品保持部からなることを要旨としたものである。
【０００７】
この請求項１に記載の発明では、物品保持具の固定部を既存のシートベルトの差し込みバックル部と係合させることにより、物品保持具を取付けることができる。よって、物品保持具を取付けるために、別途の被取付け構造を要しないため、簡単な取付け構造とすることができる。また、物品保持具の固定構造がシートベルトのバックル部との係合であるため、着脱が容易であり、かつその取付け状態を強固なものとすることができる。
【０００８】
本願請求項２に記載の発明は物品保持部がフック状を成していることを要旨としたものである。
【０００９】
この請求項２に記載の発明では、例えば保持される物品がカバン等、取っ手を有するものであれば、フック状の物品保持部に取っ手を引っ掛けることで物品を保持することができ、保持構造を簡単なものとすることができる。
【発明の実施の形態】
以下、本発明の実施の形態を図面に基づいて説明する。図１は本願の物品保持具、及び物品保持具を被取付け部である助手席シートベルトの差し込みバックル部へ取付ける際の説明図である。また、図２は本願の物品保持具を用いて助手席シート上の物品を保持している物品保持具の使用状態を示す図である。
【００１０】
図１に示すように、本願の物品保持具はシートベルトの差し込みバックル部２に係合可能な固定部１１と、シート上の物品を保持する物品保持部１２とからなる。固定部１１は金属からなり、シートベルト２０の先端に設けられた差し込み部と同一の形状を成している。この固定部１１をシートベルトのバックル部２に設けられた差し込み穴に挿入することにより、シートベルトのバックル部２に物品保持具１が係合して取付けられる。また、物品保持部１２は固定部１１の挿入側とは反対側に、フック状を成して延設している。物品保持部１２は、樹脂成形品からなっている。
【００１１】
図２に物品保持具１を用いてシート３０上に載置されたカバン４０の保持状態を示す。前述のようにシートベルトの差し込みバックル部２に係合させて取付けられた物品保持具１は、シート３０上の載置物であるカバン４０が有する取っ手に、フック状を成す物品保持部１２を引っ掛ける。これにより、カバン４０のシート３０上での載置状態が保持される。
【００１２】
助手席シート上にカバン等の物品を載置する際には、同乗者が助手席に座ることはなく、シートベルトも使用されないため、シートベルトの差し込みバックル部２は不要となっている。本願の物品保持具１によれば、この不要となっているシートベルトのバックル部２を物品保持具１の被取付け部として活用することができる。また、物品保持具１の着脱構造はシートベルト２０の着脱と同一の構造であるため、物品保持具１の着脱が簡単であり、物品保持具１が不要となっても、その取外しには煩雑な作業を要することがない。さらに、シートベルトのバックル部２を利用することで、別途、物品保持具の被取付け構造を必要としないため、簡単な取付け構造とすることができる。また、物品保持部１２がフック状であるため、カバン等の取っ手に引っ掛けるという簡単な作業でシート上の物品を保持することができる。
【００１３】
また、本願の物品保持具の固定部１１は、シートベルトのバックル部２に設けられた差し込み穴へ挿入されて、バックル部２に係合可能なものであるため、その係合状態はシートベルトの係合と同様に強固なものである。よって、シート上の物品に対する保持も確実なものとすることができる。
【００１４】
実施例では物品保持部を樹脂成形品としたが、樹脂を軟質樹脂とし、フックの角度を適宜変えられるようにすることもできる。また、実施例では物品保持部をフック状としたが、その形状は保持する物品に応じて様々な形状とすることができる。例えば、トレー状の物品保持部とすれば、載置する物品の形状にとらわれず、シート上での保持が可能となる。なお、物品保持部を固定部から取外し可能とし、保持する物品の形状に応じて物品保持部を取り替えることができるようにすることもできる。固定部との取外し機構は公知の様々な手段を用いることができる。
【００１５】
また実施例では、物品保持具を助手席シートに用いることとしたが、その使用箇所は助手席に限定されることはなく、保持する物品の大きさにより後部座席に用いることも可能である。また、物品保持具の数もシートベルトの差し込みバックル部の数に応じて多数使用することができる。
【００１６】
【発明の効果】
本願の請求項１に記載の物品保持具によると、その被取付け部はシートベルトの差し込みバックル部を利用するものであるため物品保持具を取付ける被取付け構造が不用であり、取り付け構造を簡略化することができる。また、物品保持具の固定を強固なものとすることができ、かつ物品保持具が不要な場合には簡単にその着脱を行うことができる。更に、本願の請求項２に記載の物品保持具によると、シート上に載置される物品が、取っ手を有する物であれば、取っ手と物品保持部を引っ掛けるという簡単な作業で物品を保持することができる。
【図面の簡単な説明】
【図１】本願の物品保持具の説明図
【図２】本願の物品保持具の使用状態を示す
【符号の説明】
１  物品保持具
１１  固定部
１２  物品保持部
２  シートベルト差し込みバックル部
１０  助手席シート
２０  シートベルト
３０  助手席シート
４０  カバン
【図１】
2004338643.tif 000003
【図２】
2004338643.tif 000004